(57)【要約】【課題】電気二重層キャパシタ（ＥＤＬＣ）が低温の環境下で使用される場合でも、直列接続するＥＤＬＣの使用数を増やすことなく、且つ劣化を避けつつ十分な出力電圧を得ること。【解決手段】低温時には、抵抗器などの発熱体を用いてＥＤＬＣを暖めて昇温する。ＥＤＬＣ内部の等価直列抵抗（ＥＳＲ）が低温時に増大するのを防止して電圧降下の増大を阻止する。ＥＤＬＣ直列回路に接続されるバランス回路などに存在する抵抗体を利用してＥＤＬＣの充電時や放電時のエネルギーで発熱させ、ＥＤＬＣを暖める。特性カーブＣ０２のように中温域では充電電圧を平坦にして、且つ定格値（２．５［Ｖ］）よりも電圧を下げてＥＤＬＣの劣化を抑制し寿命を延ばす。急傾斜特性部Ｃ０２ａで充電電圧が高くなっても、昇温により短時間で電圧が下がるので劣化は生じにくい。【選択図】図４
2020129905.tif 000002
【特許請求の範囲】
【請求項１】
１つ以上の電気二重層キャパシタを有する電力供給システムであって、
前記電気二重層キャパシタの近傍に配置され、前記電気二重層キャパシタの充電電流および放電電流の少なくとも一方のエネルギーを利用して発熱する発熱体と、
前記電気二重層キャパシタの温度を検知する温度測定部と、
前記温度測定部が検知した温度に応じて前記発熱体の発熱を制御する温度制御部と、
を備え、前記温度制御部は少なくとも低温度の領域において、高温度の領域よりも前記発熱体の発熱量を増やして前記電気二重層キャパシタの温度上昇を促進する、
ことを特徴とする電力供給システム。
【請求項２】
前記温度制御部は、
特定温度よりも低温度の領域では、低温度になるに従い前記電気二重層キャパシタの充電電圧を増やすと共に、前記発熱体の発熱量を増やし、
前記特定温度よりも高温度の領域では、温度変化に対する前記電気二重層キャパシタの充電電圧の変化を抑制する、
ことを特徴とする請求項１に記載の電力供給システム。
【請求項３】
複数の前記電気二重層キャパシタが直列に接続された直列回路を備え、
前記直列回路における前記複数の前記電気二重層キャパシタのバランスを調整するバランス回路が、前記直列回路に並列に接続され、
前記バランス回路に含まれる抵抗体が、前記発熱体として使用される、
ことを特徴とする請求項１または請求項２に記載の電力供給システム。
【請求項４】
前記バランス回路が制御に利用する参照電圧を、前記電気二重層キャパシタの温度に応じて補償する温度補償部、を備えた、
ことを特徴とする請求項３に記載の電力供給システム。
【請求項５】
１つ以上の電気二重層キャパシタを有する電力供給システムにおいて、前記電気二重層キャパシタを制御するための温度制御方法であって、
前記電気二重層キャパシタの充電電流および放電電流の少なくとも一方のエネルギーを利用して発熱する発熱体を前記電気二重層キャパシタの近傍に配置し、
前記電気二重層キャパシタの近傍の温度を検知し、
検知した前記電気二重層キャパシタの近傍の温度に応じて前記発熱体の発熱を制御すると共に、少なくとも低温度の領域において、高温度の領域よりも前記発熱体の発熱量を増やして前記電気二重層キャパシタの温度上昇を促進する、
ことを特徴とする温度制御方法。
【発明の詳細な説明】
【技術分野】
【０００１】
本発明は、電気二重層キャパシタを有する電力供給システムおよびそれを制御するための温度制御方法に関する。
【背景技術】
【０００２】
電気二重層キャパシタ（Electric double-layer capacitor：EDLC）は、電気二重層という物理現象を利用することで蓄電容量を高めた高性能のコンデンサである。したがって、比較的容量の小さいバッテリーの代替や、電源のバックアップなどの用途で電気二重層キャパシタを利用することが一般的に想定されている。
【０００３】
例えば、車両においては、搭載された車載バッテリーが事故などにより機能喪失した場合に備えて、バックアップ用の電源として電気二重層キャパシタを利用することが考えられる。
【０００４】
特許文献１のバックアップ電源システムは、電源異常時において制御機器への必要な電力の供給を可能としつつも、車両全体での消費電力量を抑えつつ、コスト、体積及び重量の増加を抑制するための技術を示している。すなわち、車両に搭載されたＤＣ／ＤＣコンバータからの電力供給を受けて車両のブレーキを作動させる電子制御ブレーキと、この電子制御ブレーキに供給する電圧の値が所定値を下回る電源異常時に、電力を供給するバックアップ電源とを備えている。また、バックアップ電源はキャパシタを有している。更に、キャパシタの充電電圧は、バックアップ電源の温度が低いほど高い電圧に設定されると共に、車両の速度が高いほど高い電圧に設定されることを示している。
【先行技術文献】
【特許文献】
【０００５】
【特許文献１】特開２０１２−９１６２９号公報
【発明の概要】
【発明が解決しようとする課題】
【０００６】
電気二重層キャパシタは、それに含まれる等価直列抵抗（ＥＳＲ）が低温になると上昇する。すなわち、この等価直列抵抗の抵抗値（Ｒ）と電流値（Ｉ）との積で表される内部の直流電圧降下（ＤＣ−ＩＲ）が、低温時に上昇する傾向がある。
【０００７】
電気二重層キャパシタの温度特性の例を図１に示す。図１において、横軸は温度（℃）を表す。縦軸は、温度が２０［℃］における特性を基準（１００％）とした直流電圧降下の変化率を表している。
【０００８】
したがって、低温時に電気二重層キャパシタから負荷に大電流を流すと、負荷に供給される出力電圧が通常よりも大幅に低下する。そのため、低温時でも大電流、且つ高い出力電圧を必要とする用途においては、より多くの電気二重層キャパシタを直列に接続して使用する必要がある。
【０００９】
例えば、２．４［Ｖ］の充電電圧で使用する電気二重層キャパシタを１０個直列に接続すると、無負荷の状態では全体で（２．４×１０＝２４［Ｖ］）の出力電圧が得られる。しかし、負荷に電流を流すと電気二重層キャパシタの等価直列抵抗により電圧降下（Ｉ・Ｒ）の分だけ出力電圧が低下するので、特に低温時には十分な出力電圧を確保できない。したがって、低温時の出力電圧を上げるために、直列に接続する電気二重層キャパシタの個数を、例えば１０個から必要な数だけ増やすことになる。
【００１０】
一方、特許文献１に示されているように、出力電圧の観点からでは、キャパシタの充電電圧をバックアップ電源の温度が低いほど高い電圧に設定することも効果的である。
【００１１】
しかしながら、電気二重層キャパシタは、２．５［Ｖ］以上の充電電圧で使うと劣化が早くなることが知られており、低温時であっても充電電圧の上昇を２．５［Ｖ］未満に抑制することが望ましい。そのため、電気二重層キャパシタの充電電圧を抑制し、負荷が必要とする出力電圧を得るには、より多くの電気二重層キャパシタを直列に接続しなければならない。しかし、電気二重層キャパシタの使用数を増やすことは、部品コストの観点から望ましくない。また、電源全体の体積や総重量も増加することになる。
【００１２】
本発明は、上述した事情に鑑みてなされたものであり、その目的は、電気二重層キャパシタが低温の環境下で使用される場合であっても、互いに直列に接続する電気二重層キャパシタの使用数を増やすことなく、且つ劣化を避けつつ十分な出力電圧を得ることが可能な電力供給システムおよび温度制御方法を提供することにある。
【課題を解決するための手段】
【００１３】
前述した目的を達成するために、本発明に係る電力供給システムおよび温度制御方法は、下記（１）〜（５）を特徴としている。
（１）  １つ以上の電気二重層キャパシタを有する電力供給システムであって、
前記電気二重層キャパシタの近傍に配置され、前記電気二重層キャパシタの充電電流および放電電流の少なくとも一方のエネルギーを利用して発熱する発熱体と、
前記電気二重層キャパシタの温度を検知する温度測定部と、
前記温度測定部が検知した温度に応じて前記発熱体の発熱を制御する温度制御部と、
を備え、前記温度制御部は少なくとも低温度の領域において、高温度の領域よりも前記発熱体の発熱量を増やして前記電気二重層キャパシタの温度上昇を促進する、
ことを特徴とする電力供給システム。
【００１４】
上記（１）の構成の電力供給システムによれば、電気二重層キャパシタが低温の環境下で使用される場合であっても、発熱体で加熱して温度を上げることができる。したがって、電気二重層キャパシタにおける等価直列抵抗の増大を抑制し、内部の電圧降下を低減できる。そのため、直列に接続する電気二重層キャパシタの数を増やさなくても、十分な出力電圧を負荷に供給できる。しかも、発熱体は前記電気二重層キャパシタの充電電流または放電電流のエネルギーで発熱するので、加熱のために付加する回路の構成を簡素化できる。例えば、複数の電気二重層キャパシタを直列接続した場合には、これらの電気二重層キャパシタのバランスを調整するためのバランス回路が必要になるが、バランス回路に含まれる抵抗器などを発熱体として流用すれば、追加する部品数を大幅に削減可能である。
【００１５】
（２）  前記温度制御部は、
特定温度よりも低温度の領域では、低温度になるに従い前記電気二重層キャパシタの充電電圧を増やすと共に、前記発熱体の発熱量を増やし、
前記特定温度よりも高温度の領域では、温度変化に対する前記電気二重層キャパシタの充電電圧の変化を抑制する、
ことを特徴とする上記（１）に記載の電力供給システム。
【００１６】
上記（２）の構成の電力供給システムによれば、低温の環境下でも、より短時間で特定温度まで昇温し、電気二重層キャパシタにおける等価直列抵抗を低減できる。また、通常温度の環境下では、充電電圧の変化が抑制されるので、電気二重層キャパシタの劣化の計算に影響する誤差要因がなくなり、寿命をより正確に把握可能になる。
【００１７】
（３）  複数の前記電気二重層キャパシタが直列に接続された直列回路を備え、
前記直列回路における前記複数の前記電気二重層キャパシタのバランスを調整するバランス回路が、前記直列回路に並列に接続され、
前記バランス回路に含まれる抵抗体が、前記発熱体として使用される、
ことを特徴とする上記（１）または（２）に記載の電力供給システム。
【００１８】
上記（３）の構成の電力供給システムによれば、バランス回路に含まれる抵抗体を、発熱体として使用するので、電気二重層キャパシタを低温域で昇温するために必要な回路構成を簡素化し、追加する部品数を削減できる。
【００１９】
（４）  前記バランス回路が制御に利用する参照電圧を、前記電気二重層キャパシタの温度に応じて補償する温度補償部、を備えた、
ことを特徴とする上記（３）に記載の電力供給システム。
【００２０】
上記（４）の構成の電力供給システムによれば、電気二重層キャパシタの温度に応じて、発熱体の発熱量を適切に調整し、所望の温度特性を得ることができる。例えば、低温の環境下で、電気二重層キャパシタにおける等価直列抵抗を低減できる特定温度まで短時間で昇温できる。
【００２１】
（５）  １つ以上の電気二重層キャパシタを有する電力供給システムにおいて、前記電気二重層キャパシタを制御するための温度制御方法であって、
前記電気二重層キャパシタの充電電流および放電電流の少なくとも一方のエネルギーを利用して発熱する発熱体を前記電気二重層キャパシタの近傍に配置し、
前記電気二重層キャパシタの近傍の温度を検知し、
検知した前記電気二重層キャパシタの近傍の温度に応じて前記発熱体の発熱を制御すると共に、少なくとも低温度の領域において、高温度の領域よりも前記発熱体の発熱量を増やして前記電気二重層キャパシタの温度上昇を促進する、
ことを特徴とする温度制御方法。
【００２２】
上記（５）の構成の温度制御方法によれば、電気二重層キャパシタが低温の環境下で使用される場合であっても、発熱体で加熱して温度を上げることができる。したがって、電気二重層キャパシタにおける等価直列抵抗の増大を抑制し、内部の電圧降下を低減できる。そのため、直列に接続する電気二重層キャパシタの数を増やさなくても、十分な出力電圧を負荷に供給できる。しかも、発熱体は前記電気二重層キャパシタの充電電流または放電電流のエネルギーで発熱するので、加熱のために付加する回路の構成を簡素化できる。例えば、複数の電気二重層キャパシタを直列接続した場合には、これらの電気二重層キャパシタのバランスを調整するためのバランス回路が必要になるが、バランス回路に含まれる抵抗器などを発熱体として流用すれば、追加する部品数を大幅に削減可能である。
【発明の効果】
【００２３】
本発明の電力供給システムおよび温度制御方法によれば、電気二重層キャパシタが低温の環境下で使用される場合であっても、互いに直列に接続する電気二重層キャパシタの使用数を増やすことなく、十分な出力電圧を得ることが可能になる。すなわち、低温の環境下では、前記発熱体の加熱により電気二重層キャパシタが昇温され、等価直列抵抗が低減される。したがって、電圧降下が低減され、電気二重層キャパシタの使用数を増やすことなく十分な出力電圧を確保できる。
【００２４】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００２５】
【図１】図１は、電気二重層キャパシタの等価直列抵抗に関する温度特性の例を示すグラフである。
【図２】図２（ａ）、図２（ｂ）、および図２（ｃ）は、ＥＤＬＣ直列回路に接続される基本的な３種類のバランス回路のそれぞれの構成を示す電気回路図である。
【図３】図３は、本発明を実施するために用いるバランス回路の構成例を示す電気回路図である。
【図４】図４は、電気二重層キャパシタの温度と充電電圧との関係に関する特性カーブの例を示すグラフである。
【図５】図５（ａ）および図５（ｂ）は、複数個の電気二重層キャパシタを搭載した２種類のバックアップ電源装置のそれぞれにおける回路基板上の部品配置例を示す斜視図である。
【図６】図６は、好ましい温度補償制御を行うために必要なシャントレギュレータの構成例を示す電気回路図である。
【図７】図７は、図６に示した回路における温度と電圧との関係の例を示すグラフである。
【発明を実施するための形態】
【００２６】
＜概要説明＞
本発明の理解を容易にするために、具体的な実施形態を説明する前に、発明思想の概要を説明する。
【００２７】
電気二重層キャパシタ（ＥＤＬＣ）を利用する場合には、図１に示すように、電気二重層キャパシタの内部に存在する等価直列抵抗（ＥＳＲ）が温度に応じて大幅に変化する。特に、低温域では等価直列抵抗が急激に増大するので、この等価直列抵抗の抵抗値Ｒと負荷に流れる電流の値Ｉとの積で表される電圧降下（Ｒ・Ｉ）が増大し、電圧降下分だけ出力電圧Ｖｏｕｔが低下する。つまり、出力電圧Ｖｏｕｔは次式で表される。
Ｖｏｕｔ＝Ｖ０−Ｒ・Ｉ
Ｖ０：電気二重層キャパシタの充電電圧
【００２８】
ここで、低温時であっても負荷が必要とする十分高い出力電圧Ｖｏｕｔを得るためには、充電電圧Ｖ０を上げなければならない。しかし、電気二重層キャパシタは２．５［Ｖ］以上の充電電圧で使用すると劣化が早くなるので、充電電圧Ｖ０は制限する必要がある。そのため、電気二重層キャパシタの等価直列抵抗を低減することが望ましい。そこで、本発明を実施する場合には、少なくとも等価直列抵抗が増大する低温域において、等価直列抵抗を減らすために電気二重層キャパシタ自体を暖めて昇温する。これにより、低温の環境下でも充電電圧Ｖ０を規定値以上に上げる必要がなくなり、劣化を抑制できる。そのため、本発明の実施形態に係る電力供給システムが適当な発熱体を備えるようにする。
【００２９】
一方、単一の電気二重層キャパシタが出力できる電圧は２．５［Ｖ］程度である。したがって、例えば負荷が１２［Ｖ］程度の電圧を必要とする場合には、５個（５セル）の電気二重層キャパシタを直列に接続した直列回路を構成し、直列回路の出力に無負荷の状態で１２．５［Ｖ］（＝２．５×５）の出力電圧が得られるようにする。
【００３０】
ところで、複数の電気二重層キャパシタを直列に接続した直列回路においては、それぞれの電気二重層キャパシタの静電容量（Ｃ）が均一であるとは限らない。例えばＮセルの直列回路の両端に（２．５×Ｎ［Ｖ］）の充電電圧を与えると、Ｎ個の各セルの電気二重層キャパシタには同じ容量の電荷（Ｑ）がそれぞれ蓄積される。しかし、相対的に容量の小さいセルの電気二重層キャパシタに印加される電圧（Ｖｃ＝Ｑ／Ｃ）は２．５［Ｖ］を超え、劣化が早まることになる。これを防ぐために、電気二重層キャパシタの直列回路には、一般的に後述するバランス回路が接続される。
【００３１】
このようなバランス回路は、電気二重層キャパシタの充電などの動作に伴って電流が流れる抵抗器などの抵抗体を備えている。また、この抵抗体は電気二重層キャパシタの近傍に配置することができる。そこで、本発明の実施形態においては、バランス回路内の抵抗体に電流を流すことで、これを発熱体として利用し、電気二重層キャパシタを昇温する。
【００３２】
＜基本的な構成のバランス回路の説明＞
ＥＤＬＣ直列回路に接続される基本的な３種類のバランス回路の構成を図２（ａ）、図２（ｂ）、および図２（ｃ）にそれぞれ示す。
【００３３】
＜単純な構成のバランス回路＞
図２（ａ）は、単純な構成のバランス回路３０Ａを示している。図２（ａ）に示すように、ＥＤＬＣ直列回路１０Ａは、複数の電気二重層キャパシタ１１、１２、１３、１４、・・・（以下、電気二重層キャパシタ１１〜１４と記載）を互いに直列に接続して構成してある。ＥＤＬＣ直列回路１０Ａの高電位側および低電位側の各端子が電源ライン２１、２２を介して充電回路２０と接続されている。
【００３４】
充電回路２０がＥＤＬＣ直列回路１０Ａに充電用の電力を供給することにより、ＥＤＬＣ直列回路１０Ａの各電気二重層キャパシタ１１〜１４に電荷が蓄積される。ＥＤＬＣ直列回路１０Ａの各電気二重層キャパシタ１１〜１４が蓄積した電荷を放出することにより、負荷に出力電力を供給できる。
【００３５】
バランス回路３０Ａは、互いに直列に接続された複数の抵抗器３１Ａ、３２Ａ、３３Ａ、３４Ａ、・・・（以下、抵抗器３１Ａ〜３４Ａと記載）で構成されている。また、抵抗器３１Ａ〜３４Ａは、それぞれ電気二重層キャパシタ１１〜１４の両端と並列に接続されている。
【００３６】
各抵抗器３１Ａ〜３４Ａの抵抗値は全て同一であり、図２（ａ）の例では６２０［Ω］の抵抗値を採用している。バランス回路３０ＡをＥＤＬＣ直列回路１０Ａと接続していない単独の状態では、各抵抗器３１Ａ〜３４Ａの端子間電圧も全て同一になる。すなわち、電源ライン２１、２２間の電圧Ｖｏに対して、Ｎ個直列の抵抗器３１Ａ〜３４Ａの端子間電圧は、いずれも（Ｖｏ／Ｎ）になる。
【００３７】
そして、各電気二重層キャパシタ１１〜１４の端子間電圧にばらつきがあると、これらのバランスを自動的に調整するようにバランス回路３０Ａが機能する。例えば、電気二重層キャパシタ１１の端子間電圧が（Ｖｏ／Ｎ）よりも低いと、バランス回路３０Ａ側から流れ込む電流により、電気二重層キャパシタ１１の端子間電圧が（Ｖｏ／Ｎ）に近づく方向に上昇する。また、電気二重層キャパシタ１２の端子間電圧が（Ｖｏ／Ｎ）よりも高いと、電気二重層キャパシタ１２からバランス回路３０Ａ側に放電するので、電気二重層キャパシタ１２の端子間電圧が（Ｖｏ／Ｎ）に近づく方向に下降する。
【００３８】
図２（ａ）のバランス回路３０Ａは、比較的バランスを調整する能力が小さいが、各電気二重層キャパシタ１１〜１４の容量のばらつきが比較的小さい状況に適している。また、バランスを調整する際に、抵抗器３１Ａ〜３４Ａに電流が流れ、ジュール熱が発生する。したがって、抵抗器３１Ａ〜３４Ａを各電気二重層キャパシタ１１〜１４の近傍に配置しておけば、発生した熱により各電気二重層キャパシタ１１〜１４の温度を上げることができる。また、充電回路２０の充電制御により、温度調整を行うことが可能である。つまり、抵抗器３１Ａ〜３４Ａを、本発明を実施するための発熱体として利用できる。
【００３９】
＜アクティブ制御のバランス回路−１＞
図２（ｂ）は、アクティブ制御のバランス回路−１を示している。
図２（ｂ）の構成においても、ＥＤＬＣ直列回路１０Ｂは、複数の電気二重層キャパシタ１１、１２、１３、・・・を互いに直列に接続して構成してある。ＥＤＬＣ直列回路１０Ｂの高電位側および低電位側の各端子が電源ライン２１、２２を介して充電回路２０と接続されている。
【００４０】
すなわち、充電回路２０がＥＤＬＣ直列回路１０Ｂに充電用の電力を供給することにより、ＥＤＬＣ直列回路１０Ｂの各電気二重層キャパシタ１１、１２、１３、・・・に電荷が蓄積される。ＥＤＬＣ直列回路１０Ｂの各電気二重層キャパシタ１１、１２、１３、・・・が蓄積した電荷を放出することにより、負荷に出力電力が供給される。
【００４１】
図２（ｂ）のバランス回路３０Ｂは、電気二重層キャパシタ１１、１２、１３、・・・の数と同数のＮ個の抵抗器３１Ｂ、３２Ｂ、３３Ｂ、・・・（以下、抵抗器３１Ｂ〜３３Ｂと記載）、Ｎ個のスイッチ３５、３６、３７、・・・（以下、スイッチ３５〜３７と記載）、およびマイクロコンピュータ（マイコン）３８を備えている。
図２（ｂ）の例では、比較的大きい電流を流せるように、各抵抗器３１Ｂ〜３３Ｂの抵抗値は６．２［Ω］に設定されている。
【００４２】
スイッチ３５〜３７は、半導体スイッチやリレーのようにオンオフ制御が可能な部品であり、マイクロコンピュータ３８の制御出力によりオンオフする。抵抗器３１Ｂ〜３３Ｂ、およびスイッチ３５〜３７は直列に接続されている。これらの抵抗器とスイッチとで構成されるそれぞれの直列回路が、電気二重層キャパシタ１１、１２、１３、・・・と並列に接続されている。
【００４３】
つまり、スイッチ３５は、電気二重層キャパシタ１１の端子間に抵抗器３１Ｂを並列に接続するか否かを切り替える。同様に、スイッチ３６は、電気二重層キャパシタ１２の端子間に抵抗器３２Ｂを並列に接続するか否かを切り替える。スイッチ３７は、電気二重層キャパシタ１３の端子間に抵抗器３３Ｂを並列に接続するか否かを切り替える。
【００４４】
また、マイクロコンピュータ３８のＮ個のアナログ入力ポート（ＡＤＣ）が、各電気二重層キャパシタ１１、１２、１３、・・・の端子間電圧を測定できるように接続されている。すなわち、マイクロコンピュータ３８は、各電気二重層キャパシタ１１、１２、１３、・・・の端子間電圧を検出し、必要に応じてスイッチ３５〜３７を個別にオンオフして、ＥＤＬＣ直列回路１０Ｂのバランス調整を行うことができる。
【００４５】
例えば、各電気二重層キャパシタ１１、１２、１３の端子間電圧が所定電圧（２．５［Ｖ］など）を超えると、マイクロコンピュータ３８が該当する系統のスイッチ３５〜３７をオンにして、抵抗器３１Ｂ〜３３Ｂを各電気二重層キャパシタ１１、１２、１３と並列に接続する。例えば、スイッチ３５がオンになると、電源ライン２１から電気二重層キャパシタ１１に供給される充電電流の一部または全部を、電気二重層キャパシタ１１の代わりに抵抗器３１Ｂに流すことができる。これにより、電気二重層キャパシタ１１の端子間電圧が所定電圧を超えるのを防止できる。
【００４６】
抵抗器３１Ｂ〜３３Ｂが各電気二重層キャパシタ１１、１２、１３、・・・に並列に接続された状態になると、抵抗器３１Ｂ〜３３Ｂのそれぞれに電流が流れて発熱する。したがって、抵抗器３１Ｂ〜３３Ｂを電気二重層キャパシタ１１、１２、１３、・・・の近傍に配置しておくことで、電気二重層キャパシタ１１、１２、１３、・・・の温度を上げることができる。
【００４７】
＜アクティブ制御のバランス回路−２＞
図２（ｃ）は、アクティブ制御のバランス回路−２を示している。
図２（ｃ）の構成においても、ＥＤＬＣ直列回路１０Ｃは、複数の電気二重層キャパシタ１１、１２、１３、・・・を互いに直列に接続して構成してある。ＥＤＬＣ直列回路１０Ｃの高電位側および低電位側の各端子が電源ライン２１、２２を介して充電回路２０と接続されている。
【００４８】
すなわち、充電回路２０がＥＤＬＣ直列回路１０Ｃに充電用の電力を供給すると、ＥＤＬＣ直列回路１０Ｃの各電気二重層キャパシタ１１、１２、１３、・・・に電荷が蓄積される。ＥＤＬＣ直列回路１０Ｃの各電気二重層キャパシタ１１、１２、１３、・・・が蓄積した電荷を放出することにより、負荷に出力電力が供給される。
【００４９】
図２（ｃ）のバランス回路３０Ｃは、電気二重層キャパシタ１１、１２、１３、・・・の数と同数のＮ個のシャントレギュレータ３１Ｃ、３２Ｃ、３３Ｃ、・・・（以下、シャントレギュレータ３１Ｃ〜３３Ｃと記載）を備えている。これらのシャントレギュレータ３１Ｃ〜３３Ｃは、互いに直列に接続され、それぞれ各電気二重層キャパシタ１１、１２、１３、・・・と並列に接続されている。
【００５０】
各シャントレギュレータ３１Ｃ〜３３Ｃとしては、ツェナーダイオードと似たような定電圧特性を有する集積回路（ＩＣ）として市販されている部品を利用できる。
【００５１】
各シャントレギュレータ３１Ｃ〜３３Ｃは、各々の端子間電圧が共通の所定電圧Ｖｒ（例えば２．５［Ｖ］）を超えると、電流を流してそれ以上電圧が上昇しないように制御する。
【００５２】
そして、各電気二重層キャパシタ１１、１２、１３、・・・の端子間電圧にばらつきがあると、これらのバランスを自動的に調整するようにバランス回路３０Ｃが機能する。例えば、電気二重層キャパシタ１１の端子間電圧が所定電圧Ｖｒよりも高くなると、電気二重層キャパシタ１１に流れる充電電流の一部又は全部が、バランス回路３０Ｃのシャントレギュレータ３１Ｃに流れるため、電気二重層キャパシタ１１の端子間電圧が所定電圧Ｖｒに制限されるように電圧上昇が抑制される。
【００５３】
各シャントレギュレータ３１Ｃ〜３３Ｃの端子間電圧が所定電圧Ｖｒを超えて電流が流れるときに、この電流により内部の抵抗体が発熱する。したがって、各シャントレギュレータ３１Ｃ〜３３Ｃを電気二重層キャパシタ１１、１２、１３、・・・の近傍に配置することにより、電気二重層キャパシタ１１、１２、１３、・・・の温度を上げることができる。シャントレギュレータ３１Ｃ〜３３Ｃの発熱量は、充電回路２０の充電制御により調整できる。
【００５４】
＜実施形態の電力供給システム＞
図３は、本発明の実施形態に係る電力供給システムの構成例である。この電力供給システムはバランス回路４０を含んでいる。図３のバランス回路４０は、図２（ｃ）に示したバランス回路３０Ｃに相当する現実的な構成例を表している。
【００５５】
図３に示す電力供給システムは、充電回路２０、ＥＤＬＣ直列回路１０Ｃ、およびバランス回路４０を備えている。バランス回路４０は、ＥＤＬＣのセル毎にそれぞれ用意された個別制御回路４１、４２、４３、・・・と、マイクロコンピュータ４５、サーミスタ４６、および参照電圧発生回路４７とを備えている。
【００５６】
個別制御回路４１は、電気二重層キャパシタ１１の充電電流を制御してその端子間電圧を調整する。また、個別制御回路４２が電気二重層キャパシタ１２の充電電流を制御してその端子間電圧を調整する。また、個別制御回路４３が電気二重層キャパシタ１３の充電電流を制御してその端子間電圧を調整する。
【００５７】
参照電圧発生回路４７は、電源ラインＬ０１に現れる電圧を分圧して、各個別制御回路４１、４２、４３、・・・が利用する参照電圧を生成する。
個別制御回路４１は、シャントレギュレータＩＣ０１、抵抗器Ｒ１１、Ｒ２１、パワートランジスタＱ０１、および抵抗回路Ｒ０１を備えている。他の個別制御回路４２、４３も個別制御回路４１と同様の構成要素を備えている。
【００５８】
シャントレギュレータＩＣ０１については、例えばテキサスインスツルメンツ社製の集積回路「ＴＬ−４３１」を利用することができる。このシャントレギュレータＩＣ０１は、アノード端子「Ａ」、カソード端子「ｋ」、参照電圧入力端子「Ｒｅｆ」を有している。そして、「Ｒｅｆ」端子の電位が、「Ａ」端子に比べて１．２４［Ｖ］以上になると、「ｋ」端子から「Ａ」端子に電流が流れる回路特性を有している。つまり、シャントレギュレータＩＣ０１の「Ｒｅｆ」−「Ａ」間の電圧が１．２４［Ｖ］以上になるのを制限する。
【００５９】
シャントレギュレータＩＣ０１の「ｋ」−「Ａ」間の電流に応じた電圧が抵抗器Ｒ１１の端子間に発生し、この電圧が抵抗器Ｒ２１を介してパワートランジスタＱ０１のベース端子に印加され、この電圧の大小に応じてパワートランジスタＱ０１のオンオフが決定される。
【００６０】
つまり、シャントレギュレータＩＣ０１の「Ｒｅｆ」−「Ａ」間の電圧が１．２４［Ｖ］未満の場合はパワートランジスタＱ０１がオフになり、「Ｒｅｆ」−「Ａ」間の電圧が１．２４［Ｖ］以上になるとパワートランジスタＱ０１がオンになる。
【００６１】
抵抗回路Ｒ０１は、パワートランジスタＱ０１と直列に接続されているので、パワートランジスタＱ０１がオンになると、抵抗回路Ｒ０１に電流が流れる。抵抗回路Ｒ０１は、抵抗値が２．５［Ω］の２つの抵抗器を直列接続した回路として構成してある。
【００６２】
したがって、パワートランジスタＱ０１がオンになると、電気二重層キャパシタ１１に流れる充電電流の一部または全部が、パワートランジスタＱ０１を経由して抵抗回路Ｒ０１に流れる。これにより、電気二重層キャパシタ１１の充電時の端子間電圧の上昇が抑制される。
【００６３】
シャントレギュレータＩＣ０１の「Ｒｅｆ」−「Ａ」間の電圧Ｖｒｅｆは、以下に示すように参照電圧発生回路４７の２つの抵抗器（１２．４、１２．６［ｋΩ］）の抵抗値の比で定まる分圧比と電源ラインＬ０１−Ｌ０２間の電位差Ｖｘとで決定される。
Ｖｒｅｆ＝Ｖｘ・（１２．４ｋ／（１２．４ｋ＋１２．６ｋ））
Ｖｘ＝Ｖｒｅｆ・（１２．４ｋ＋１２．６ｋ）／１２．４ｋ＝２．５［Ｖ］
【００６４】
つまり、電気二重層キャパシタ１１の端子間電圧が２．５［Ｖ］以上にならないように、バランス回路４０内の個別制御回路４１が制御する。
但し、充電回路２０の出力から供給される充電電流の大きさが０．５［Ａ］以上になると、抵抗回路Ｒ０１に流れる電流によって（５［Ω］×０．５［Ａ］＝２．５［Ｖ］）以上の電圧が抵抗回路Ｒ０１の端子間に発生する。したがって、電気二重層キャパシタ１１の端子間電圧も２．５［Ｖ］以上になる可能性がある。
【００６５】
そこで、マイクロコンピュータ４５は、電気二重層キャパシタ１１の充電時の端子間電圧を２．５［Ｖ］未満に維持するために、充電回路２０を制御して充電電流の最大値が０．５［Ａ］を超えないようにする。
【００６６】
また、バランス回路４０の抵抗回路Ｒ０１に電流が流れると、この電流によって抵抗回路Ｒ０１が発熱する。したがって、抵抗回路Ｒ０１を電気二重層キャパシタ１１の近傍に配置することにより、電気二重層キャパシタ１１の温度を上げることができる。
【００６７】
上記の個別制御回路４１と同様に、個別制御回路４２および４３は、それぞれ電気二重層キャパシタ１２および１３の充電時の端子間電圧を２．５［Ｖ］未満に維持することができる。また、個別制御回路４２の抵抗回路Ｒ０２は電気二重層キャパシタ１２の温度を上げることができ、個別制御回路４３の抵抗回路Ｒ０３は電気二重層キャパシタ１３の温度を上げることができる。
【００６８】
サーミスタ４６は、ＥＤＬＣ直列回路１０Ｃの近傍に配置され、電気二重層キャパシタ１１、１２、１３、・・・の温度を検出することができる。マイクロコンピュータ４５は、サーミスタ４６の出力する信号をアナログ入力ポートで読み取り、アナログ／デジタル変換（ＡＤＣ）して温度を計測することができる。
【００６９】
マイクロコンピュータ４５は、図１に示した電気二重層キャパシタ１１、１２、１３、・・・の等価直列抵抗−温度特性を考慮して、等価直列抵抗が常に小さく維持されるように制御する。例えば、サーミスタ４６で計測した電気二重層キャパシタ温度を監視して、事前に定めた規定温度（例えば−１０［℃］）未満の場合には、規定温度になるまで昇温の制御を実施する。
【００７０】
具体的には、ＥＤＬＣ直列回路１０Ｃの各電気二重層キャパシタ１１、１２、１３、・・・を充電回路２０が供給する充電電流で充電する際に、満充電になった後も充電動作を継続する。これにより、余分な充電電流がバランス回路４０内の抵抗回路Ｒ０１、Ｒ０２、Ｒ０３、・・・に流れるので、抵抗回路Ｒ０１、Ｒ０２、Ｒ０３、・・・がそれぞれ発熱し、各電気二重層キャパシタ１１、１２、１３、・・・の温度が上がる。また、温度が規定温度に比べて非常に低い場合には、充電電流の制限値や電圧の制限値を一時的に通常よりも大きくすることにより、より短時間で昇温することもできる。
【００７１】
したがって、図３の電力供給システムを低温の環境下で使用する場合であっても、各電気二重層キャパシタ１１、１２、１３、・・・の等価直列抵抗の増大を防止できる。つまり、ＥＤＬＣ直列回路１０Ｃの電力を負荷に供給する際に、ＥＤＬＣ内部の電圧降下（Ｉ・Ｒ）を抑制できるので、ＥＤＬＣの使用数を増やさなくても十分な出力電圧を負荷に供給できる。
【００７２】
＜具体的な充電温度特性の代表例＞
単一の電気二重層キャパシタを充電する際の温度と充電電圧との関係に関する５つの特性カーブＣ０１、Ｃ０２、Ｃ０３、Ｃ０４、およびＣ０５を図４に示す。図４において、横軸は温度［℃］、縦軸は充電電圧［Ｖ］を表している。
【００７３】
図４に示した特性カーブＣ０１は、一般的に想定される充電制御における特性である。すなわち、電気二重層キャパシタの劣化が早まるのを避けるために、通常時の充電電圧を定格電圧の２．５［Ｖ］に設定する。また、高温域では劣化が早まるので、６０［℃］の点で２．３［Ｖ］の充電電圧になるように、４０［℃］以上の温度領域では、温度が高くなるにつれて直線的に充電電圧を低下させる。
【００７４】
図４に示した各特性カーブＣ０２、Ｃ０３は、特性カーブＣ０１よりも好ましい結果を得るために本発明の実施形態で採用することが想定される特性である。
図４の例では、特性カーブＣ０２は、折れ点Ｐ１（温度０［℃］）よりも低い温度領域に割り当てた急傾斜特性部Ｃ０２ａと、折れ点Ｐ１よりも高い温度領域に割り当てた平坦特性部Ｃ０２ｂとを有している。急傾斜特性部Ｃ０２ａは、温度が低くなるにつれて一定の傾きで充電電圧が急激に上昇するように定めてある。また、平坦特性部Ｃ０２ｂは、定格電圧（２．５［Ｖ］）よりも十分に低い２．３５［Ｖ］の一定の充電電圧になるように定めてある。
【００７５】
つまり、電気二重層キャパシタの等価直列抵抗が増大する低温の領域（０［℃］未満）では急傾斜特性部Ｃ０２ａに従った制御特性となり、等価直列抵抗がほぼ一定で且つ十分小さい温度領域（０［℃］以上）では平坦特性部Ｃ０２ｂに従った制御特性となる。
【００７６】
したがって、例えば温度が−２０［℃］のように低い時には、急傾斜特性部Ｃ０２ａにより充電電圧が通常の特性カーブＣ０１よりも高くなる。これにより、図３に示したバランス回路４０の抵抗回路Ｒ０１、Ｒ０２、Ｒ０３、・・・に比較的大きな電流が流れる。つまり、短時間で電気二重層キャパシタ１１、１２、１３、・・・を０［℃］まで昇温し、等価直列抵抗を減らすことができる。
【００７７】
低温域では、充電電圧が高いので電気二重層キャパシタの劣化が早まる。しかし、抵抗回路Ｒ０１、Ｒ０２、Ｒ０３、・・・の発熱により短時間で電気二重層キャパシタ１１、１２、１３、・・・の温度が０［℃］まで上昇するので、寿命に及ぼす影響は比較的小さい。また、低温域では、充電電圧を通常より上げることにより、等価直列抵抗による電圧降下分を補償し、負荷に対して十分に高い出力電圧を確保できる。加熱により電気二重層キャパシタの温度が０［℃］以上に上がった場合には、電気二重層キャパシタに蓄積された電荷を放電し、電気二重層キャパシタの電圧を下げるように制御する。
【００７８】
また、温度が０〜５０［℃］程度の中温領域では、平坦特性部Ｃ０２ｂにより、充電電圧が通常の特性カーブＣ０１よりも低くなる。これにより、電気二重層キャパシタの劣化を通常よりも更に抑制できる。しかも、このような中温領域はシステムの通常の使用範囲であり遭遇確率が高いので、電気二重層キャパシタの寿命を延ばすのに役立つ。更に、充電電圧が平坦（変化がない）であるため、寿命を計算する際の誤差要因を減らすことができる。
【００７９】
また、温度が６０［℃］以上の高温域では、平坦特性部Ｃ０２ｂにより、充電電圧が通常の特性カーブＣ０１よりも高くなり、電気二重層キャパシタの劣化が早まる。しかし、遭遇確率の高い中温域で充電電圧を下げることにより全体として十分な余裕を確保してあるので、高温域における劣化の影響は吸収できる。高温域でも充電電圧の変化がないので、誤差要因がなく寿命の計算も容易になる。
【００８０】
図４中の特性カーブＣ０３は、特性カーブＣ０２を指数関数曲線で近似的に表したものである。つまり、特性カーブＣ０２のように折れ点Ｐ１を境界として制御特性を切り替えるのではなく、低温域から高温域までの広い温度範囲に亘って連続的に制御を実施する場合に特性カーブＣ０３を用いることが想定される。特性カーブＣ０３を採用する場合にも、特性カーブＣ０２と同様の効果が得られる。
【００８１】
図４に示した特性カーブＣ０４は、低温域から高温域までの広い温度範囲に亘って連続的に制御を実施する場合に、望ましい特性を直線近似で表現したものである。特性カーブＣ０４を採用する場合には、特性カーブＣ０１と特性カーブＣ０２の中間的な制御結果となる。つまり、特性カーブＣ０４の場合は、低温域では特性カーブＣ０１よりも早く昇温することができるが、特性カーブＣ０２よりは昇温に時間がかかる。また、特性カーブＣ０４の場合は、中温域では特性カーブＣ０１よりも劣化を抑制できるが、特性カーブＣ０２よりは劣化しやすい。また、特性カーブＣ０４の場合は、高温域では特性カーブＣ０１よりも劣化しやすく、特性カーブＣ０２よりは劣化しにくい。
【００８２】
図４に示した特性カーブＣ０５は、特性カーブＣ０４の変形例であり、温度が６０［℃］を超えた領域における寿命のリスクを重視して、寿命を延ばすために、曲線を用いて補正した特性を表している。つまり、特性カーブＣ０５を採用した場合には、温度が６０［℃］を超えた領域において、充電電圧を下げることにより、特性カーブＣ０１と同程度に劣化を抑制できる。
【００８３】
＜部品配置例＞
図５（ａ）および図５（ｂ）は、複数個の電気二重層キャパシタを搭載した２種類のバックアップ電源装置における回路基板上の部品配置例である。
【００８４】
図５（ａ）に示したバックアップ電源装置は、１０個（１０セル）の電気二重層キャパシタＥＤＬＣを直列に接続した直列回路や、そのバランスを調整するバランス回路、すなわち図３に示した構成と同様の電気回路を備えている。したがって、図５（ａ）のバックアップ電源装置は、無負荷の状態で例えば（２．５×１０＝２５［Ｖ］）程度の電圧を出力できる。
【００８５】
なお、負荷に電流が流れる場合には、電気二重層キャパシタＥＤＬＣ内部の等価直列抵抗の抵抗値と電流値との積に相当する電圧降下分（Ｒ・Ｉ）だけ、負荷に供給される電圧が低下する。しかし、電気二重層キャパシタＥＤＬＣの温度低下を防止することで、セル数を増やさなくても出力電圧の低下を防止できる。
【００８６】
同様に、図５（ｂ）のバックアップ電源装置は、１６個の電気二重層キャパシタＥＤＬＣを直列に接続した直列回路、およびバランス回路を備えている。したがって、図５（ｂ）のバックアップ電源装置は、無負荷の状態で例えば（２．５×１６＝４０［Ｖ］）程度の電圧を出力できる。
【００８７】
図５（ａ）に示したように、１０個の電気二重層キャパシタＥＤＬＣは、互いに隣接した位置に並べて配置してある。したがって、これらの電気二重層キャパシタＥＤＬＣは周囲環境の温度がほぼ同じ状況で使用される。また、例えば各抵抗回路Ｒ０１、Ｒ０２、Ｒ０３、・・・の発熱により１つ以上の電気二重層キャパシタＥＤＬＣの温度が上昇する時には、熱伝導や対流の影響で他の電気二重層キャパシタＥＤＬＣの温度も上昇する。図３に示したサーミスタ４６は、いずれかの電気二重層キャパシタＥＤＬＣの近傍に配置される。
【００８８】
＜シャントレギュレータの構成例＞
好ましい温度補償制御を行うために必要なシャントレギュレータの構成例を図６に示す。また、図６に示した回路における温度と電圧との関係の例を図７に示す。
【００８９】
図６に示した電気回路は、図４に示した特性カーブＣ０２と同等の動作を実現するための構成例であり、図３に示したシャントレギュレータＩＣ０１、および抵抗器Ｒ１１の箇所に相当する回路の変形例である。例えば、図６に示したトランジスタＱ１の出力の端子Ｔｅが図３に示した抵抗器Ｒ２１を介してパワートランジスタＱ０１のベース端子と接続される。また、図６の端子Ｔｐが、ＥＤＬＣ直列回路１０Ｃの１つの電気二重層キャパシタ１１の高電位側端子と接続される。なお、図６に示したトランジスタＱ１およびその周辺の回路のうち、ＥＤＬＣ直列回路１０Ｃの最下段の電気二重層キャパシタＥＤＬＣと接続される箇所については図６とは多少異なる構成になる。
【００９０】
図６に示した電気回路は、直流電圧源Ｖ１、Ｖ２、演算増幅器Ｕ１、Ｕ２、Ｕ３、トランジスタＱ１、温度補償用ダイオードＤ１〜Ｄ４、抵抗器Ｒ１〜Ｒ９を含んでいる。直流電圧源Ｖ１、Ｖ２の出力電圧は、それぞれ約２［Ｖ］、５［Ｖ］である。直流電圧源Ｖ４は、ＥＤＬＣ直列回路１０Ｃ内の電気二重層キャパシタ１１等の１つのセルに相当する。
【００９１】
温度補償用ダイオードＤ１〜Ｄ４については、例えばローム社製のＤＡＮ２１７ＵＭのように、端子間の順方向電圧が温度に応じて大きく変動する半導体デバイスを用いる。温度補償用ダイオードＤ１およびＤ２は、充電時の適切な温度補償を実現できるように接続されている。また、温度補償用ダイオードＤ３およびＤ４は、放電時の適切な温度補償を実現できるように接続されている。
【００９２】
充電時の参照電圧Ｖｒｅｆ−１、放電時の参照電圧Ｖｒｅｆ−２、充電時の出力電圧Ｖｏｕｔ−１、放電時の出力電圧Ｖｏｕｔ−２、充電時の個別参照電圧Ｖｐｅ−１、および放電時の個別参照電圧Ｖｐｅ−２の温度特性が図７に示されている。
【００９３】
図６に示した回路において、個別参照電圧Ｖｐｅが高くなると、図３に示したＥＤＬＣ直列回路１０Ｃのうち１つのセル（電気二重層キャパシタ１１）に接続されているパワートランジスタＱ０１がオンになり、充電電流の一部分または全体が抵抗回路Ｒ０１に流れる。
【００９４】
図７に示したように、充電時の参照電圧Ｖｒｅｆ−１が温度変化と無関係に一定の電圧であっても、充電時の出力電圧Ｖｏｕｔ−１は、低温域では充電時の参照電圧Ｖｒｅｆ−１よりも大きくなり、図４に示した特性カーブＣ０２と同じように変化する。Ｖｒｅｆ−１、Ｖｏｕｔ−１の電圧の違いは、温度補償用ダイオードＤ１、Ｄ２の温度特性により発生する。
【００９５】
充電時の個別参照電圧Ｖｐｅ−１は、充電時の出力電圧Ｖｏｕｔ−１に基づいて演算増幅器Ｕ２およびトランジスタＱ１により生成される。放電時の個別参照電圧Ｖｐｅ−２は、放電時の出力電圧Ｖｏｕｔ−２に基づいて演算増幅器Ｕ２およびトランジスタＱ１により生成される。図７に示すように、充電時の個別参照電圧Ｖｐｅ−１は充電時の出力電圧Ｖｏｕｔ−１に対して０．４［Ｖ］程度高いレベルになる。また、放電時の個別参照電圧Ｖｐｅ−２は放電時の出力電圧Ｖｏｕｔ−２に対して０．２［Ｖ］程度高いレベルになる。なお、温度補償用ダイオードＤ１のアノード側の駆動電圧（３）については、放電時の方が高い電圧になる。
【００９６】
＜温度制御方法＞
本発明の温度制御方法を実施する場合には、例えば図３に示すように、電気二重層キャパシタ（ＥＤＬＣ）の充電電流および放電電流の少なくとも一方のエネルギーを利用して発熱する発熱体（抵抗回路Ｒ０１、Ｒ０２、Ｒ０３）を前記電気二重層キャパシタの近傍に配置する。また、図３に示したサーミスタ４６や、図６に示した温度補償用ダイオードＤ１〜Ｄ４を用いて前記電気二重層キャパシタの近傍の温度を検知する。また、例えば図３に示したマイクロコンピュータ４５や、図６に示した回路が、前記電気二重層キャパシタの近傍の温度に応じて前記発熱体の発熱を制御すると共に、例えば図４に示した特性カーブＣ０２、Ｃ０３のように、少なくとも低温度の領域において、高温度の領域よりも前記発熱体の発熱量を増やして前記電気二重層キャパシタの温度上昇を促進するように制御する。
【００９７】
＜電力供給システムおよび温度制御方法の利点＞
図３に示した電力供給システムにおいては、各電気二重層キャパシタ１１、１２、１３、・・・が低温の環境で使用される場合に、マイクロコンピュータ４５が抵抗回路Ｒ０１、Ｒ０２、Ｒ０３、・・・の発熱を利用して昇温するので、各電気二重層キャパシタ１１、１２、１３、・・・の内部における等価直列抵抗を減らすことができる。したがって、電圧降下（Ｉ・Ｒ）の増大が抑制される。つまり、使用する電気二重層キャパシタＥＤＬＣの数を増やさなくても、十分に高い電圧を負荷に供給できる。
【００９８】
しかも、ＥＤＬＣ直列回路１０Ｃのバランス調整に必要なバランス回路４０に含まれる抵抗回路Ｒ０１、Ｒ０２、Ｒ０３、・・・を発熱体として利用する場合には、特別な熱源を付加する必要がなく、部品数の増加を抑制できる。
【００９９】
また、例えば図４に示した特性カーブＣ０２の平坦特性部Ｃ０２ｂのように、中温域では充電電圧を通常の特性カーブＣ０１の定格値（例えば２．５［Ｖ］）よりも下げる（例えば２．３［Ｖ］）ことにより、電気二重層キャパシタＥＤＬＣの劣化を抑制し寿命を延ばすことができる。
【０１００】
また、例えば図４に示した特性カーブＣ０１、Ｃ０４、Ｃ０５のように、高温域では中温域よりも充電電圧を下げる（例えば２．１［Ｖ］）ことにより、放電状態での電気二重層キャパシタＥＤＬＣの劣化を抑制できる。
【０１０１】
なお、電気二重層キャパシタＥＤＬＣの昇温に用いる発熱体については、バランス回路４０内の抵抗器以外に、充電回路２０内部の発熱素子を利用したり、ＤＣ／ＤＣコンバータのような電源回路内の部品を利用してもよい。
【０１０２】
ここで、上述した本発明の実施形態に係る電力供給システムおよび温度制御方法の特徴をそれぞれ以下［１］〜［５］に簡潔に纏めて列記する。
［１］  １つ以上の電気二重層キャパシタ（１１、１２、１３、・・・）を有する電力供給システムであって、
前記電気二重層キャパシタの近傍に配置され、前記電気二重層キャパシタの充電電流および放電電流の少なくとも一方のエネルギーを利用して発熱する発熱体（Ｒ０１、Ｒ０２、Ｒ０３、・・・）と、
前記電気二重層キャパシタの温度を検知する温度測定部（サーミスタ４６、温度補償用ダイオードＤ１〜Ｄ４）と、
前記温度測定部が検知した温度に応じて前記発熱体の発熱を制御する温度制御部（マイクロコンピュータ４５）と、
を備え、前記温度制御部は少なくとも低温度の領域において、高温度の領域よりも前記発熱体の発熱量を増やして前記電気二重層キャパシタの温度上昇を促進する（特性カーブＣ０２、Ｃ０３）、
ことを特徴とする電力供給システム。
【０１０３】
［２］  前記温度制御部は、
特定温度よりも低温度の領域（急傾斜特性部Ｃ０２ａ）では、低温度になるに従い前記電気二重層キャパシタの充電電圧を増やすと共に、前記発熱体の発熱量を増やし、
前記特定温度よりも高温度の領域（平坦特性部Ｃ０２ｂ）では、温度変化に対する前記電気二重層キャパシタの充電電圧の変化を抑制する、
ことを特徴とする上記［１］に記載の電力供給システム。
【０１０４】
［３］  複数の前記電気二重層キャパシタが直列に接続された直列回路（ＥＤＬＣ直列回路１０Ａ、１０Ｂ、１０Ｃ）を備え、
前記直列回路における前記複数の前記電気二重層キャパシタのバランスを調整するバランス回路（３０Ａ、３０Ｂ、３０Ｃ、４０）が、前記直列回路に並列に接続され、
前記バランス回路に含まれる抵抗体（抵抗回路Ｒ０１、Ｒ０２、Ｒ０３）が、前記発熱体として使用される、
ことを特徴とする上記［１］または［２］に記載の電力供給システム。
【０１０５】
［４］  前記バランス回路が制御に利用する参照電圧を、前記電気二重層キャパシタの温度に応じて補償する温度補償部（温度補償用ダイオードＤ１〜Ｄ４）、を備えた、
ことを特徴とする上記［３］に記載の電力供給システム。
【０１０６】
［５］  １つ以上の電気二重層キャパシタ（１１、１２、１３、・・・）を有する電力供給システムにおいて、前記電気二重層キャパシタを制御するための温度制御方法であって、
前記電気二重層キャパシタの充電電流および放電電流の少なくとも一方のエネルギーを利用して発熱する発熱体（抵抗回路Ｒ０１、Ｒ０２、Ｒ０３、・・・）を前記電気二重層キャパシタの近傍に配置し、
前記電気二重層キャパシタの近傍の温度を検知し、
検知した前記電気二重層キャパシタの近傍の温度に応じて前記発熱体の発熱を制御すると共に、少なくとも低温度の領域において、高温度の領域よりも前記発熱体の発熱量を増やして前記電気二重層キャパシタの温度上昇を促進する（特性カーブＣ０２、Ｃ０３）、
ことを特徴とする温度制御方法。
【符号の説明】
【０１０７】
１０Ａ，１０Ｂ，１０Ｃ  ＥＤＬＣ直列回路
１１，１２，１３，１４  電気二重層キャパシタ
２０  充電回路
２１，２２  電源ライン
３０Ａ，３０Ｂ，３０Ｃ，４０  バランス回路
３１Ａ，３２Ａ，３３Ａ，３４Ａ  抵抗器
３１Ｂ，３２Ｂ，３３Ｂ  抵抗器
３１Ｃ，３２Ｃ，３３Ｃ  シャントレギュレータ
３５，３６，３７  スイッチ
３８，４５  マイクロコンピュータ
４１，４２，４３  個別制御回路
４６  サーミスタ
４７  参照電圧発生回路
Ｌ０１，Ｌ０２，Ｌ０３，Ｌ０４  電源ライン
Ｑ０１，Ｑ０２，Ｑ０３  パワートランジスタ
Ｒ０１，Ｒ０２，Ｒ０３  抵抗回路
Ｒ１１，Ｒ１２，Ｒ１３，Ｒ２１，Ｒ２２，Ｒ２３  抵抗器
ＩＣ０１，ＩＣ０２，ＩＣ０３  シャントレギュレータ
Ｃ０１，Ｃ０２，Ｃ０３，Ｃ０４，Ｃ０５  特性カーブ
Ｃ０２ａ  急傾斜特性部
Ｃ０２ｂ  平坦特性部
Ｄ１，Ｄ２，Ｄ３，Ｄ４  温度補償用ダイオード
Ｑ１  トランジスタ
Ｕ１，Ｕ２，Ｕ３  演算増幅器
ＥＤＬＣ  電気二重層キャパシタ
Ｔｐ，Ｔｅ  端子
Ｖｏｕｔ  出力電圧
Ｖｐｅ  個別参照電圧
Ｖｒｅｆ  参照電圧
Ｖｏｕｔ−１  充電時の出力電圧
Ｖｏｕｔ−２  放電時の出力電圧
Ｖｐｅ−１  充電時の個別参照電圧
Ｖｐｅ−２  放電時の個別参照電圧
Ｖｒｅｆ−１  充電時の参照電圧
Ｖｒｅｆ−２  放電時の参照電圧
【図１】
2020129905.tif 000003
【図２】
2020129905.tif 000004
【図３】
2020129905.tif 000005
【図４】
2020129905.tif 000006
【図５】
2020129905.tif 000007
【図６】
2020129905.tif 000008
【図７】
2020129905.tif 000009